(57)【要約】【課題】目的は、ゴミ等を収容する容器を安定して設置させることができる転倒抑制機能を備えた容器と、風などによって蓋が飛ばされるのを抑制することができる吹き飛び抑制機能を備えた容器の蓋と、転倒抑制機能を備えた容器と吹き飛び抑制機能を備えた容器の蓋とからなる蓋付き容器を提供することにある。【解決手段】本考案の蓋付き容器２は、周壁部１４又は底部１５の少なくともいずれか一方の任意の部分に、二重構造による第一液体貯留空間２１を備え、上部が開口した容器本体３、及び第一液体貯留空間２１に貯留された第一液体２２を有する転倒抑制機能を備えた容器１と、二重構造による第二液体貯留空間３３を任意の部分に備えた蓋本体３１、及び第二液体貯留空間３３に貯留された第二液体３４を有する容器用蓋４とを備えている。【選択図】  図１
0003205131.tif 000002
【実用新案登録請求の範囲】
【請求項１】
周壁部又は底部の少なくともいずれか一方の任意の部分に、二重構造による第一液体貯留空間を備え、上部が開口した容器本体と、
前記第一液体貯留空間に貯留された第一液体とを有する転倒抑制機能を備えた容器。
【請求項２】
前記周壁部の任意の位置には、前記第一液体貯留空間に貯留する第一液体を注入するための液体注入口が設けられており、
前記周壁部又は前記底部の少なくともいずれか一方の任意の位置には、前記第一液体貯留空間に貯留されている第一液体を排出するための液体排出口が設けられている請求項１に記載の転倒抑制機能を備えた容器。
【請求項３】
前記第一液体貯留空間が、密閉空間である請求項１又は２に記載の転倒抑制機能を備えた容器。
【請求項４】
二重構造による第二液体貯留空間を任意の部分に備えた蓋本体と、前記第二液体貯留空間に貯留された第二液体とを有する容器用蓋。
【請求項５】
周壁部又は底部の少なくともいずれか一方の任意の部分に、二重構造による第一液体貯留空間を備え、上部が開口した容器本体、及び前記第一液体貯留空間に貯留された第一液体を有する転倒抑制機能を備えた容器と、
二重構造による第二液体貯留空間を任意の部分に備えた蓋本体、及び前記第二液体貯留空間に貯留された第二液体を有する容器用蓋とを備えた蓋付き容器。
【考案の詳細な説明】
【技術分野】
【０００１】
本考案は、ゴミ等を収容する転倒抑制機能を備えた容器、吹き飛び抑制機能を備えた容器の蓋、及び、それらを備えた蓋付き容器に関する。
【背景技術】
【０００２】
従来のゴミ容器は、軽量で転倒し易く、転倒抑制機能もついていなかった。そのため、風でゴミ容器が倒れて中のゴミが散乱することを防ぐために、ゴミ容器の上にウェイトを置くことが行われてきた。またゴミ容器を風が吹かない家の中などに移動させることもあった。更には、ゴミ容器を紐で柱などに固定することも行われてきた。しかしながらいずれの方法も重労働であり、ゴミ容器の転倒を簡単に抑制することができず、安定性のあるゴミ容器の設置が困難であった。
【０００３】
前記の問題を解決するため、例えば、下記特許文献１においては、ゴミ容器の下部にウェイトを取り付けることによって重心の位置を下げている。そのため、ゴミ容器が安定し、しかもゴミ容器が簡単にウェイトを切り離すことができるので移動が容易になるとされている。
【０００４】
しかしながら、下記特許文献１に開示のゴミ容器転倒防止装置であると、ゴミ容器は、砂などのウェイトを入れたウェイト容器から簡単に切り離すことができるものの、先ずウェイト容器の方を設置する必要がある。また、ウェイトが砂などの固形物であることから、ウェイト容器の設置の際に依然として重労働であるという問題がある。
【先行技術文献】
【特許文献】
【０００５】
【特許文献１】実開平６−４５９１５号
【考案の概要】
【考案が解決しようとする課題】
【０００６】
本考案は前記従来の問題点に鑑みなされたものであり、その目的は、ゴミ等を収容する容器を安定して設置させることができる転倒抑制機能を備えた容器と、風などによって蓋が飛ばされるのを抑制することができる吹き飛び抑制機能を備えた容器の蓋と、転倒抑制機能を備えた容器及び吹き飛び抑制機能を備えた容器の蓋を有する蓋付き容器を提供することにある。
【課題を解決するための手段】
【０００７】
本考案に係る転倒抑制機能を備えた容器は、周壁部又は底部の少なくともいずれか一方の任意の部分に、二重構造による第一液体貯留空間を備え、上部が開口した容器本体と、  前記第一液体貯留空間に貯留された第一液体とを有する。
【０００８】
前記の構成によれば、前記容器本体は、その周壁部及び／または底部の任意の部分に、二重構造による第一液体貯留空間を備えており、当該第一液体貯留空間には、第一液体が貯留されている。そのため、当該第一液体の重量によって、容器自体が転倒するのを抑制し、設置時の安定性を向上させている。本考案の容器は、例えばゴミ等を収容するために使用される。
【０００９】
また、好ましくは、前記周壁部の任意の位置には、前記第一液体貯留空間に貯留する第一液体を注入するための液体注入口が設けられており、前記周壁部又は前記底部の少なくともいずれか一方の任意の位置には、前記第一液体貯留空間に貯留されている第一液体を排出するための液体排出口が設けられている。この構成によれば、必要なときに必要な量だけ液体注入口から第一液体を注入させることができると共に、必要に応じて、貯留されている第一液体を液体排出口から排出することができる。    
【００１０】
また、好ましくは、前記第一液体貯留空間が、密閉空間である。この構成によれば、容器本体からの第一液体の漏出を防止することができる。
【００１１】
本考案に係る容器用蓋は、二重構造による第二液体貯留空間を任意の部分に備えた蓋本体と、前記第二液体貯留空間に貯留された第二液体とを有する。前記の構成によれば、蓋本体の第二液体貯留空間に第二液体を貯留させることにより、当該第二液体の重量により、風などによって蓋が飛ばされるのを抑制することができる。
【００１２】
本考案に係る蓋付き容器は、周壁部又は底部の少なくともいずれか一方の任意の部分に、二重構造による第一液体貯留空間を備え、上部が開口した容器本体、及び前記第一液体貯留空間に貯留された第一液体を有する転倒抑制機能を備えた容器と、二重構造による第二液体貯留空間を任意の部分に備えた蓋本体、及び前記第二液体貯留空間に貯留された第二液体を有する容器用蓋とを備えている。
【００１３】
前記の構成による蓋付き容器の容器は、当該第一液体の重量によって、容器自体が転倒するのを抑制し、設置時の安定性を向上させている。また、前記の構成による蓋付き容器の蓋は、蓋本体の第二液体貯留空間に第二液体を貯留させたことにより、当該第二液体の重量により、風などによって蓋が飛ばされるのを抑制することができる。従って、転倒抑制機能を備えた容器と、吹き飛び抑制機能を備えた蓋とからなる蓋付き容器が得られる。即ち、前記の構成によれば、設置時の安定性に優れ、風等による吹き飛ばしを低減した蓋付き容器を提供することができる。
【考案の効果】
【００１４】
本考案の転倒抑制機能を備えた容器によれば、周壁部と底部とを有する容器本体は、周壁部及び／または底部の任意の部分に、二重構造による第一液体貯留空間を備えており、当該第一液体貯留空間には、第一液体が貯留されている。そのため、当該第一液体の重量によって、容器自体が転倒するのを抑制し、設置時の安定性を向上させている。また、本考案の容器用蓋によれば、二重構造による第二液体貯留空間を任意の部分に備えた蓋本体と、前記第二液体貯留空間に貯留された第二液体とを有する。そのため、蓋本体の第二液体貯留空間に第二液体を貯留させることにより、当該第二液体の重量によって、風などによって蓋が飛ばされるのを抑制することができる。更に、前記転倒抑制機能を備えた容器と、前記容器用蓋とを備えた、本考案の蓋付き容器によれば、設置時の安定性に優れ、風等による吹き飛ばしを低減した蓋付き容器を提供することができる。
【図面の簡単な説明】
【００１５】
【図１】本考案の実施の形態に係る蓋付き容器を模式的に表す断面図である。
【図２】前記蓋付き容器における転倒抑制機能を備えた容器を模式的に表す断面図である。
【図３】本考案の他の実施の形態に係る転倒抑制機能を備えた容器を模式的に表す断面図である。
【図４】本考案の他の実施の形態に係る転倒抑制機能を備えた容器を模式的に表す断面図である。
【図５】本考案の他の実施の形態に係る転倒抑制機能を備えた容器を模式的に表す断面図である。
【図６】本考案の他の実施の形態に係る転倒抑制機能を備えた容器であって、確認窓を備えたものを模式的に表す斜視図である。
【図７】本考案の他の実施の形態に係る転倒抑制機能を備えた容器を模式的に表す断面図である。
【考案を実施するための形態】
【００１６】
本考案の実施の形態について、図１〜図７に基づき以下に説明する。図１に示す様に、本実施の形態に係る蓋付き容器２は、転倒抑制機能を備えた容器（以下、「容器」という。）１と、容器用蓋４とを少なくとも備える。図１は、本実施の形態に係る蓋付き容器２の縦断面図である。
【００１７】
容器１は、図２に示すように、第一液体貯留空間２１を備え、上部が開口した容器本体３と、第一液体貯留空間２１に貯留された第一液体２２を少なくとも備えている。図２は本実施の形態に係る容器１の縦断面図である。
【００１８】
容器本体３は、有底の円筒状の形状を有している。但し、本発明はこの形状に限定されず、例えば、平面視における断面が、四角形状、三角形状等のものであってもよい。容器本体３の大きさは、特に限定されず、必要に応じて適宜設定することができる。容器本体３の上部は、ゴミ等を投入するために開口している。開口面積は特に限定されず、必要に応じて適宜設定することができる。
【００１９】
容器本体３の材質は、特に限定されず、例えばプラスチック製、金属製等が挙げられる。これらのうち、プラスチック製のものは、第一液体２２の種類にもよるが耐食性の観点から好ましい。また金属製の場合は、アルミニウム製やステンレス鋼製、チタン製、鉄製などが挙げられる。第一液体２２に対して耐食性のない鉄製等の場合、表面に耐食性のある材料をメッキや塗装、コーティング等で表面処理を施したものが好ましい。これにより、容器１の錆などによる腐食を防止することができる。
【００２０】
第一液体貯留空間２１は、容器本体３における周壁部１４及び底部１５を、二重構造とすることにより設けられている。具体的には、周壁部１４の内壁１１と外壁１２の間、及び底部１５の内側底面と外側底面の間に設けられている。これにより、第一液体貯留空間２１に第一液体２２を貯留することが可能になり、当該第一液体２２が有する重量により、容器１の転倒抑制を可能にしている。なお、本実施の形態において、周壁部１４と底部１５の二重構造は、相互に連通して一つの第一液体貯留空間２１が形成されたものとなっているが、本考案はこれに限定されるものではなく、当該周壁部１４と底部１５が区画されたものであってもよい。
【００２１】
また、第一液体貯留空間２１は密閉空間となっている。これにより、貯留された第一液体２２は、蒸発や漏出による消失を防止することができる。その結果、長期間に渡って第一液体２２の貯留量を維持することができる。
【００２２】
周壁部１４の内壁１１と外壁１２の間、及び底部１５の内側底面と外側底面の間の間隔の大きさは、特に限定されず、必要に応じて適宜設定することができる。例えば図２では、当該間隔は、容器本体３の全体でほぼ等間隔である。
【００２３】
なお、本実施の形態においては、第一液体貯留空間２１が、周壁部１４及び底部１５の両方に設けられている場合について説明したが、本考案はこの態様に限定されるものではない。例えば、周壁部１４又は底部１５のいずれか一方のみに設けてもよい。また、第一液体貯留空間２１は、周壁部１４及び底部１５の任意の位置に設けることができる。
【００２４】
周壁部１４の内壁１１と外壁１２、及び底部１５の内側底面と外側底面の厚みは、特に限定されず、機械的強度等の必要に応じて適宜設定することができる。これらの厚みは同一でもよく、相互に異なっていてもよい。
【００２５】
容器本体３における底部１５の外側底面は、平坦な円形状となっており、これにより、当該外側底面の全面を載置面に接触させることができ、設置の安定性を確保している。但し、前記外側底面の形状は、円形状に限定されるものではなく、容器本体３の形状に応じて適宜変更可能である。ここで、外側底面の周縁部は、図２に示すように、Ｒ形状となっていてもよく、略直角形状となっていてもよい。また外側底面の中央部分が凹状になっていてもよい。
【００２６】
また、周壁部１４は、その上端付近の外壁１２に、第一液体２２を注入するための液体注入口１３を有する。但し、液体注入口１３の位置は、これに限定されず、例えば、周壁部１４の内壁１１または外壁１２のいずれかに、できるだけ上方に設けられていることが好ましい。これによって、液体注入時に液体注入口１３から液体があふれないため、第一液体貯留空間２１の貯留量を増やすことができる。それと共に、第一液体貯留空間２１の貯留量を少量にすることもできるため、当該貯留量を自由に設定することができる。また、液体注入口１３は、複数設けてもよい。
【００２７】
液体注入口１３の開口部の形状は、四角形状となっている。四角形状は、加工しやすい形状であるため好ましい。但し、本考案はこれに限定されず、例えば、円形状、三角形状、菱形状等であってもよい。液体注入口１３の大きさは特に限定されず、必要に応じて適宜設定することができる。
【００２８】
また、液体注入口１３は、密閉されていることが好ましい。これにより、第一液体２２が液体注入口１３から漏出するのを防止することができる。密閉の方法は、特に限定されるものではなく、例えば、蓋で密閉する方法が挙げられる。蓋は特に限定されず、例えば、以下のものが挙げられる。液体注入口１３の開口部の形状が四角形状の場合では、液体注入口１３の開口部の一方の端部に接続している蓋が扉状に開閉する扉式、パッキンを液体注入口１３の開口部と蓋との間に介在させて蓋を差し込む差し込み式または栓をはめ込む栓式等が挙げられる。液体注入口１３の開口部の形状が円形状の場合では、蓋にねじ山が切られたものを用いたねじ締め式やパッキンを液体注入口１３の開口部と蓋との間に介在させて、ねじとなっている蓋を差し込む差し込み式等が挙げられる。液体注入口１３の開口部の形状が、三角形状、菱形状等その他の形状の場合では、当該開口部の形状が四角形状の場合と同様の、差し込み式または栓式等が挙げられる。また、蓋を閉じたときに、蓋の外表面と外壁１２または内壁１１の表面とが面一になるように設けられているものが好ましい。
【００２９】
なお、第一液体２２を容器本体３の製造過程で、第一液体貯留空間２１内に封入させる場合には、液体注入口１３を省略することができる。
【００３０】
また、周壁部１４または底部１５の任意の位置には、第一液体２２を排出するための液体排出口（図示しない。）を設けてもよい。液体排出口を設ける位置は、特に限定されず、周壁部１４及び／または底部１５の任意の位置とすることができる。また、液体注入口１３を液体排出口として用いてもよい。液体排出口を容器１の底面の任意の位置に設けた場合、例えば、容器１の中にゴミが大量に収容されていても、容器１を傾けることなく第一液体２２の排出を確実に行うことができる。
【００３１】
第一液体２２としては特に限定されず、例えば、水等を用いることができる。水を用いた場合、製造コスト、入手の容易さ、廃棄等の観点から有利である。従って、容器１の中のゴミ等が増えて容器１の重量が重くなれば、貯留している第一液体２２を捨てることもできる。また、容器本体３を製造する過程で、予め第一液体２２を封入させる場合には、第一液体２２として水以外のものを用いることができる。水を用いた場合、製造コスト等の観点から有利である。第一液体２２の貯留量は、容器本体３の重量や形状等を考慮して、適宜設定することができる。
【００３２】
容器用蓋４は、図１に示すように、二重構造による第二液体貯留空間３３を備えた蓋本体３１と、蓋本体３１の第二液体貯留空間３３に第二液体３４を少なくとも有する。
【００３３】
蓋本体３１は、外形が浅い椀を伏せた形状を有している。但し、本発明はこの椀状形状に限定されず、例えば、円錐状、四角錐状等であってもよい。蓋本体３１の大きさは特に限定されず、必要に応じて適宜設定することができる。
【００３４】
蓋本体３１には、二重構造による第二液体貯留空間３３が設けられており、これにより第二液体３４の貯留を可能にしている。第二液体貯留空間３３の位置は、特に限定されないが、通常は、図１に示すように蓋本体３１の中心部に有する。図１に示す蓋４では、第二液体３４を注入するための注入口３２が設けられている。蓋本体３１の材質やその他については、上述の容器本体３と同様である。なお容器本体３と同様に、注入口３２を設けずに、あらかじめ成形段階で第二液体３４を第二液体貯留空間３３に封入させることもできる。第二液体３４を蓋本体３１の第二液体貯留空間３３に備えることによって、備わった第二液体３４の重量によって、風などによって吹き飛ばされにくい容器用蓋４とすることができる。
【００３５】
蓋本体３１に貯留される第二液体３４の種類等は特に限定されず、前述の容器本体３に貯留される第一液体２２と同様である。第二液体３４の貯留量は、蓋本体３１の重量や形状等を考慮して、適宜設定することができる。
【００３６】
本実施の形態に係る容器１は、底部１５の形状を種々変更することにより、当該底部１５における第一液体２２の貯留量を、周壁部１４における第一液体２２の貯留量と比して多くすることができる。あるいは、すべての第一液体２２を底部１５に貯留させることができる。これにより、容器１の全体の重心位置を下げることができ、設置時の安定性を一層向上させることができる。
【００３７】
例えば、図３に示すように、底部５１の厚さを周壁部１４の厚さよりも厚くし、底部５１における第一液体貯留空間４１を周壁部１４よりも大きくした態様が挙げられる。これにより、底部５１における第一液体２２の貯留量を周壁部１４における第一液体２２の貯留量よりも多くすることができ、設置時の安定性を更に向上させることができる。図３は、他の実施の形態の容器５の縦断面図である。
【００３８】
また、他の例として図４に示すように、底部５２の内側底面に、その中心部が最も深くなる様に段差を設けた段差状の態様が挙げられる。これにより、底部５２の周縁部分により多くの第一液体２２を貯留することが可能な第一液体貯留空間４２を形成することができる。その結果、周壁部１４よりも底部５２に多くの第一液体２２を貯留できるため、設置時の安定性を更に向上させることができる。図４は、他の実施の形態の容器６の縦断面図である。
【００３９】
また、他の例として図５に示すように、底部５３の内側底面をすり鉢状にした態様が挙げられる。これにより、底部５３の周縁部分により多くの第一液体２２を貯留することが可能な第一液体貯留空間４３を形成することができる。その結果、周壁部１４よりも底部５３に多くの第一液体２２を貯留できるため、設置時の安定性を更に向上させることができる。また、すり鉢状の底部５３の内側底面の斜面は、湾曲していてもよい。図５は、他の実施の形態の容器７の縦断面図である。
【００４０】
容器本体３は、第一液体貯留空間２１に貯留されている第一液体２２の貯留量を確認するための確認窓１５を備えてもよい。これにより、第一液体２２の貯留量の調節が容易となる。前記確認窓１５は、具体的には、例えば、図６に示す様に、周壁部１４に設けることができる。図６において確認窓１５の形状は帯状であるが、本考案はこれに限定されず、例えば、長方形、略円形等であってもよい。確認窓１５は外部から視認可能な程度に透明性を有しており、第一液体２２の液面の高さを確認することができる。確認窓１５の位置及び大きさは、特に限定されず、必要に応じて適宜設定することができる。
【００４１】
また、図２〜図５の態様では、周壁部１４の全ての部分を二重構造としていたが、部分的に二重構造としてもよい。例えば、図７に示すように、周壁部１７において、底部５４から任意の高さの部分を二重構造として、第一液体貯留空間４４を設けてもよい。これにより、容器８全体の重心位置を下げることができ、設置時の安定性を一層向上させることができる。第一液体貯留空間４４に貯留する第一液体２２を注入するための液体注入口１３、及び当該第一液体２２を排出するための液体排出口の設置は任意である。図７に示す容器８の場合、液体注入口１３及びや液体排出口は設けられておらず、第一液体２２は当該容器８の製造過程で第一液体貯留空間４４内に封入される。図７は、他の実施の形態の容器８を表す縦断面図である。
【００４２】
以上の通り、図１に示す蓋付き容器２は、転倒抑制機能を備えた容器１を有しているので、設置時の安定性を備えている。また、吹き飛び抑制機能を備えた蓋４を有しているので、風などによって蓋４が飛ばされるのを抑制することができる。そして、本実施の形態の蓋付き容器２は、例えば、ゴミ箱、古紙等のリサイクル用回収箱等に用いることができる。また、吹き飛び抑制機能を備えた蓋４が無い、本実施の形態の転倒抑制機能を備えた容器１単独では、ゴミ箱、傘立て、ポスター入れ、杖立て、ゴルフクラブ入れ、バット立て、掃除道具入れ、信号用旗入れ、空き缶・ペットボトル用ゴミ箱等に用いることができる。なお、容器２を空き缶・ペットボトル用ゴミ箱に用いる場合、当該容器２の容器本体３における上部には、これを覆うことができ、かつ空き缶等を投入可能にする投入口を備えたカバーを設置するのが好ましい。
【符号の説明】
【００４３】
１、５、６、７、８  転倒抑制機能を備えた容器（容器）
２    蓋付き容器
３、６１、６２、６３、６４  容器本体
４    容器用蓋
１１、１８  内壁
１２、１９  外壁
１３  液体注入口
１４、１７  周壁部
１５、５１、５２、５３、５４  底部
１６  確認窓
２１、４１、４２、４３、４４  第一液体貯留空間
２２  第一液体
３１  蓋本体
３２  液体注入口
３３  第二液体貯留空間
３４  第二液体
【図１】
0003205131.tif 000003
【図２】
0003205131.tif 000004
【図３】
0003205131.tif 000005
【図４】
0003205131.tif 000006
【図５】
0003205131.tif 000007
【図６】
0003205131.tif 000008
【図７】
0003205131.tif 000009